(57)【要約】      （修正有）【課題】光ファイバーケーブルの浸水を感知する反射式光ファイバーケーブル浸水感知装置を提供する。【解決手段】内部に形成される収容空間１１１と、下部に位置すると共に、収容空間と連通する流入口１１と、流入口と対応するように上部に位置すると共に収容空間と連通し、２本の光ファイバーケーブルを互いの端部の間に間隙が形成されるように保持するための２つの貫通穴１２とを備えるカバー１の内部における収容空間の底部に設置される吸水部材２と、吸水部材に設置される移動台３と、吸水部材が吸水膨張した場合、膨張した吸水部材により、光信号を反射させるために、光ファイバーケーブルの端部の間の間隙へ移動して移動台に設置される、光ファイバー伝送信号を通過させると共に光ファイバーモニタの信号の一部を反射するための光反射部材４とからなる。【選択図】図１
0003159410.tif 000002
【実用新案登録請求の範囲】
【請求項１】
内部に形成される収容空間と、下部に位置すると共に、該収容空間と連通する少なくとも１つの流入口と、該少なくとも１つの流入口と対応するように上部に位置すると共に、該収容空間と連通し、２本の光ファイバーケーブルを、互いの端部の間に間隙が形成されるように保持するための２つの貫通穴とを備えるカバーと、
該カバーの内部における収容空間の底部に設置される吸水部材と、
該吸水部材に設置される移動台と、
該吸水部材が吸水膨張した場合、該膨張した吸水部材により、光信号を反射させるために、２本の光ファイバーケーブルの端部の間の間隙へ移動して該移動台に設置される、光ファイバー伝送信号を通過させると共に、光ファイバーモニタの信号の一部を反射するための光反射部材と、を有する反射式光ファイバーケーブル浸水感知装置。
【請求項２】
前記カバーが、上カバーと、該上カバーと結合される下カバーとからなる請求項１に記載の反射式光ファイバーケーブル浸水感知装置。
【請求項３】
前記上カバーの底部に、前記カバーの収容空間と連通する陥凹部が設けられる請求項２に記載の反射式光ファイバーケーブル浸水感知装置。
【請求項４】
前記吸水部材は、複数枚の吸水プレートが積層してなる請求項１ないし請求項３の何れか一項に記載の反射式光ファイバーケーブル浸水感知装置。
【考案の詳細な説明】
【技術分野】
【０００１】
本考案は、特に光ファイバーケーブルの浸水を感知する装置に関するものである。
【背景技術】
【０００２】
光ファイバーは通常、通信領域における光信号を伝送できる極細繊維からなるものであり、伝送損失率が低く、小型軽量であることから、遠距離通信や遠距離の敷設に好適なものである。
【０００３】
前記信号を伝送することができる光ファイバーケーブルに用いる光ファイバーケーブル用感知器は、光ファイバーケーブルの通信線路における浸水の発生を感知し、速やかな修復のために告知をするものである。
【０００４】
図４に示すように、従来の感知器は、上カバー（７０）と、該上カバー（７０）と結合される下カバー（７１）とを有し、該上カバー（７０）と下カバー（７１）との間には貫通口（７２）が形成され、該下カバー（７１）の内部に吸水部材（７３）が設置されると共に、該吸水部材（７３）に移動台（７４）が設置され、更に、この従来の構成による感知器の中央部には、上方に盛り上がる突出部（７４０）が設けられると共に、前記下カバー（７１）の底部には、複数の流入口（７１０）が形成される。
【０００５】
図５に示すように、前記従来の構成によれば、流入口（７１０）から流入する水を吸収することにより該吸水部材（７３）が膨張し、光ファイバーケーブル（５）を持ち上げることから、浸水箇所における光ファイバー伝送信号の損失を起こすと共に、モニタ信号の波形を不明確させるので、この信号の損失及び不明確の波形の発生の箇所を特定すれば、浸水箇所を突き止めることができる。
【考案の概要】
【考案が解決しようとする課題】
【０００６】
しかしながら、前記従来の感知器の設計では、光ファイバーケーブルを湾曲させることから、光ファイバーケーブルにおける信号伝送に悪影響を与えてしまう虞があった。
【０００７】
そこで、案出されたのが本考案であって、従来の感知器の欠点を改善すると共に、光ファイバーケーブルの浸水を感知する反射式光ファイバーケーブル浸水感知装置を提供することを目的としている。
【課題を解決するための手段】
【０００８】
本願の請求項１の考案は、内部に形成される収容空間と、下部に位置すると共に、該収容空間と連通する少なくとも１つの流入口と、該少なくとも１つの流入口と対応するように上部に位置すると共に、該収容空間と連通し、２本の光ファイバーケーブルを、互いの端部の間に間隙が形成されるように保持するための２つの貫通穴とを備えるカバーと、
該カバーの内部における収容空間の底部に設置される吸水部材と、
該吸水部材に設置される移動台と、
該吸水部材が吸水膨張した場合、該膨張した吸水部材により、光信号を反射させるために、２本の光ファイバーケーブルの端部の間の間隙へ移動して該移動台に設置される、光ファイバー伝送信号を通過させると共に、光ファイバーモニタの信号の一部を反射するための光反射部材と、を有する反射式光ファイバーケーブル浸水感知装置、を提供する。
【０００９】
本願の請求項２の考案は、前記カバーが、上カバーと、該上カバーと結合される下カバー
とからなる請求項１に記載の反射式光ファイバーケーブル浸水感知装置、を提供する。
【００１０】
本願の請求項３の考案は、前記上カバーの底部に、前記カバーの収容空間と連通する陥凹部が設けられる請求項２に記載の反射式光ファイバーケーブル浸水感知装置。
【００１１】
本願の請求項４の考案は、前記吸水部材は、複数枚の吸水プレートが積層してなる請求項１ないし請求項３の何れか一項に記載の反射式光ファイバーケーブル浸水感知装置、を提供する。
【考案の効果】
【００１２】
本考案は上記の課題を解決するものであり、光ファイバーと接触しない光反射部材を用い、従来の感知器における光ファイバーケーブルの湾曲による信号の損失を防止すると共に、互いに接続する２本の光ファイバーケーブルの継ぎ目に設置されるものであるので、複数本の光ファイバーケーブルを接続してなる通信システムには特に好適である。
【図面の簡単な説明】
【００１３】
【図１】本考案に係る反射式光ファイバーケーブル浸水感知装置が浸水していない使用状態を示す側面断面図である。
【図２】本考案に係る反射式光ファイバーケーブル浸水感知装置が浸水している使用状態を示す側面断面図である。
【図３】本考案における光ファイバーケーブルを接続して構成する通信回路を示す説明図である。
【図４】従来の感知装置が浸水していない使用状態を示す側面断面図である。
【図５】従来の感知装置が浸水している使用状態を示す側面断面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１及び図２に示すように、本考案に係る反射式光ファイバーケーブル浸水感知装置は、カバー（１）と、吸水部材（２）と、移動台（３）と、光反射部材（４）とを有し、そのうちカバー（１）は、内部に形成される収容空間（１１１）と、下部に位置すると共に、該収容空間（１１１）と連通する少なくとも１つの流入口（１１０）と、該少なくとも１つの流入口（１１０）と対応するように上部に位置すると共に、該収容空間（１１１）と連通し、２本の光ファイバーケーブル（５）を、互いの端部の間に間隙が形成されるように保持するための２つの貫通穴（１２）とを備える。尚、この実施例においては、前記カバー（１）が、上カバー（１０）と、該上カバー（１０）と結合される下カバー（１１）とからなると共に、該上カバー（１０）及び下カバー（１１）は凹入状を呈し、前記収容空間（１１１）が、この上カバー（１０）及び下カバー（１１）からなるカバー（１）の内部に形成される。
【００１６】
前記吸水部材（２）は、該カバー（１）の内部における収容空間（１１１）の底部に設置され、具体的には、前記下カバー（１１）の上部に開口が形成され、前記吸水部材（２）は該下カバー（１１）の内部の底面に設置されることが好ましい。なお、前記吸水部材（２）は、複数枚の吸水プレートが積層してなり、該吸水プレートの数は、使用状況に応じて適宜調整することができる。
【００１７】
前記移動プラットフォーム（３）は、該吸水部材（２）に設置される強固なプレートであり、前記光反射部材（４）は、該移動プラットフォーム（３）に設置され、光ファイバー
伝送信号を通過させると共に、光ファイバーモニタ信号の一部を反射するためのものである。この構成によると、前記吸水部材（２）が吸水膨張すると、該膨張した吸水部材（２）が、光信号を反射するための光反射部材（４）を、該２本の光ファイバーケーブル（５）の端部の間隙へ移動させる。
【００１８】
なお、前記２つの貫通穴（１２）が、前記上カバー（１０）における下カバー（１１）と結合する箇所に形成されることにより、該２本の光ファイバーケーブル（５）を夫々保持し、また、該下カバー（１１）の上部に延出部（１１２）が形成され、該延出部（１１２）の上面に、該２つの貫通穴（１２）に保持される２本の光ファイバーケーブル（５）が配置されることにより、該２本の光ファイバーケーブル（５）が、夫々の端部の間に間隙が形成されるように保持されるので、その内の１本の光ファイバーケーブル（５）の端部から、もう１本の光ファイバーケーブル（５）の端部へ光信号を伝送することができる。
【００１９】
また、本実施例の構成によれば、光ファイバーケーブルの通信線路が浸水すると、水は流入口（１１）から収容空間（１１１）に流入し、図２に示すように、水を吸収し膨張する前記吸水部材（２）が前記光反射部材（４）を、２本の光ファイバーケーブル（５）の端部の間隙へ移動させるように、移動プラットフォーム（３）を持ち上げる。
【００２０】
更に、本実施例における前記上カバー（１０）の底部には、前記カバー（１）の収容空間（１１１）と連通する陥凹部（１００）が設けられると共に、吸水部材（２）が膨張して移動プラットフォーム（３）を上昇させ、前記光反射部材（４）を２本の光ファイバーケーブル（５）の端部の間隙を介して該陥凹部（１００）まで移動させる。尚、前記光反射部材（４）は、光ファイバー伝送信号は通過させるが、光ファイバーモニタ信号は反射するので、前記１本の光ファイバーケーブル（５）の端部からもう１本の光ファイバーケーブル（５）の端部へ伝送される光ファイバーモニタ信号を送信源まで反射し、この反射した光ファイバーモニタ信号により、浸水の発生及びその箇所を送信源の管理者に告知する。
【００２１】
図３に示すように、本実施例では、Ａ地点からＢ地点まで複数本の光ファイバーケーブル（５）を接続してなる通信線路が敷設され、隣接する光ファイバーケーブル（５）の接続部には共に、本考案に係る反射式光ファイバーケーブル浸水感知装置（Ｓ）が設置される。これにより、スプリッタ（６２）により混合された光ファイバー伝送信号（６０）及び光ファイバーモニタ信号（６１）を光ファイバーケーブル（５）を介してＡ地点からＢ地点へ送信する通信システムにおいて、一旦浸水が発生すると、本考案に係る反射式光ファイバーケーブル浸水感知装置（Ｓ）により光ファイバーモニタ信号（６１）を送信源へ反射し、該送信源の管理者に浸水の発生及びその箇所を告知する。
【産業上の利用可能性】
【００２２】
本考案は上記の構成を有するので、光ファイバーケーブルからなる通信システムの浸水を感知すると共に、従来の感知器における光ファイバーケーブルの湾曲による信号の損失を防止することができる。
【符号の説明】
【００２３】
１      カバー
１０    上カバー
１００  陥凹部
１１    下カバー
１１    流入口
１１１  収容空間
１１２  延出部
１２    貫通穴
２      吸水部材
３      移動台
４      光反射部材
５      光ファイバーケーブル
６０    光ファイバー伝送信号
６１    光ファイバーモニタ信号
６２    スプリッタ
７０    上カバー
７１    下カバー
７１０  流入口
７２    貫通口
７３    吸水部材
７４    移動台
７４０  突出部
Ｓ      反射式光ファイバーケーブル浸水感知装置
【図１】
0003159410.tif 000003
【図２】
0003159410.tif 000004
【図３】
0003159410.tif 000005
【図４】
0003159410.tif 000006
【図５】
0003159410.tif 000007